(57)【要約】【課題】  小型化を図ることができるスイッチの提供。【解決手段】  操作部１９への操作によって通電状態が切り替えられる接点３３と、発光体３４からの光を透過可能な透光部を有する表示部２１と、電源供給のためのカプラー４４とを備えたスイッチ１１において、接点３３と発光体３４とが取り付けられる第１の基板３１と、カプラー４４が取り付けられる第２の基板４２とを分割する。【選択図】        図２
2006066189.tif 000002
【特許請求の範囲】
【請求項１】
操作部への操作によって通電状態が切り替えられる接点と、発光体からの光を透過可能な透光部を有する表示部と、電源供給のためのカプラーとを備えたスイッチにおいて、
前記接点と前記発光体とが取り付けられる第１の基板と、前記カプラーが取り付けられる第２の基板とを分割したことを特徴とするスイッチ。
【請求項２】
前記第１の基板と前記第２の基板とが互いに交差する方向に沿う状態で内部に配設されていることを特徴とする請求項１記載のスイッチ。
【請求項３】
前記操作部および前記表示部が同じ意匠面に設けられており、前記第１の基板が前記意匠面に沿って設けられ、前記第２の基板が前記第１の基板の前記意匠面とは反対に前記第１の基板と直交する方向に沿って設けられていることを特徴とする請求項２記載のスイッチ。
【発明の詳細な説明】
【技術分野】
【０００１】
本発明は、小型化を図ることができるスイッチに関する。
【背景技術】
【０００２】
例えば、車両用空調機の操作スイッチに関して、その意匠面に沿って一枚の基板を内部に配設し、操作部への操作によって通電状態が切り替えられる接点および通電状態に応じて発光する発光体等の電気部品を、上記した基板に実質的にすべて実装する技術がある（例えば特許文献１参照）。
【特許文献１】特開平９−１１５３７６号公報
【発明の開示】
【発明が解決しようとする課題】
【０００３】
接点および発光体等の電気部品を一枚の基板にすべて実装すると、基板の面積が広くなり、操作スイッチの意匠面の面積も大きくなって大型化してしまうという問題があった。
【０００４】
したがって、本発明は、小型化を図ることができるスイッチの提供を目的とする。
【課題を解決するための手段】
【０００５】
上記目的を達成するために、請求項１に係る発明は、操作部（例えば実施形態における操作部１９）への操作によって通電状態が切り替えられる接点（例えば実施形態における接点３３）と、発光体（例えば実施形態における発光ダイオード３４）からの光を透過可能な透光部（例えば実施形態における透光部２０）を有する表示部（例えば実施形態における表示部２１）と、電源供給のためのカプラー（例えば実施形態におけるカプラー４４）とを備えたスイッチ（例えば実施形態におけるスイッチ１１）において、前記接点と前記発光体とが取り付けられる第１の基板（例えば実施形態における基板３１）と、前記カプラーが取り付けられる第２の基板（例えば実施形態における基板４２）とを分割したことを特徴としている。
【０００６】
請求項２に係る発明は、請求項１に係る発明において、前記第１の基板と前記第２の基板とが互いに交差する方向に沿う状態で内部に配設されていることを特徴としている。
【０００７】
請求項３に係る発明は、請求項２に係る発明において、前記操作部および前記表示部が同じ意匠面（例えば実施形態における意匠面１５）に設けられており、前記第１の基板が前記意匠面に沿って設けられ、前記第２の基板が前記第１の基板の前記意匠面とは反対に前記第１の基板と直交する方向に沿って設けられていることを特徴としている。
【発明の効果】
【０００８】
請求項１に係る発明によれば、操作部への操作によって通電状態が切り替えられる接点および表示部の透光部を介して外部に発光する発光体が取り付けられる第１の基板と、電源供給のためのカプラーが取り付けられる第２の基板とを分割しているため、例えば、操作部および表示部が同じ意匠面に設けられる場合に、操作部および表示部に配設位置が関係する接点および発光体が設けられた第１の基板をこの意匠面に沿って配設すれば、操作部および表示部に配設位置が関係しないカプラーが設けられた第２の基板は実質的に自由な位置に配設できる。したがって、第２の基板の配設位置を工夫することで小型化を図ることができる。
【０００９】
請求項２に係る発明によれば、第１の基板と第２の基板とが互いに交差する方向に沿う状態で内部に配設されているため、例えば、同じ意匠面に設けられる操作部および表示部に配設位置が関係する接点および発光体が設けられた第１の基板を意匠面に沿って配設する場合に、意匠面の面積の拡大を防止しつつ第２の基板を配設できる。したがって、意匠面の面積を小さくできる。
【００１０】
請求項３に係る発明によれば、操作部および表示部が同じ意匠面に設けられており、これら操作部および表示部に配設位置が関係する接点および発光体が設けられた第１の基板が意匠面に沿って設けられ、第２の基板が第１の基板の意匠面とは反対に第１の基板と直交する方向に沿って設けられているため、意匠面の面積を最小限にできる。
【発明を実施するための最良の形態】
【００１１】
本発明の一実施形態のスイッチを図面を参照して以下に説明する。
【００１２】
本実施形態のスイッチ１１は、車両のインストルメントパネル１２に設けられるもので、図示略の温調シートの温度調整の操作入力が行われるとともに、温調シートの温度状態を表示するものである。
【００１３】
スイッチ１１は、一方向に長い形状をなす略直方体形状をなしており、インストルメントパネル１２の車体前後方向に形成された取付穴１４に長さ方向に沿って挿入された状態で取り付けられる。このとき、スイッチ１１は長さ方向における一端面がインストルメントパネル１２の表面と連続するように配置されることになり、この一端面が乗員側に向く意匠面１５となっている。また、このとき、スイッチ１１の意匠面１５はその長さ方向を上下方向に沿わせて配置されることになる。
【００１４】
スイッチ１１の意匠面１５には、複数具体的には二カ所の操作ボタン１８を上下に有する操作部１９が左右方向（幅方向）の一側に設けられており、左右方向の逆側には、複数具体的には六カ所の透光性を有する透光部２０が上下方向に直列に配列されて構成される表示部２１が設けられている。つまり、操作部１９および表示部２１が同じ意匠面１５に設けられている。なお、意匠面１５の操作ボタン１８の間にはシートの形状を表したシートマーク２３が記されている。また、上側の操作ボタン１８には温度上昇を示す上向きであって赤色の三角マーク２４が記されており、下側の操作ボタン１８には温度下降を示す下向きであって青色の三角マーク２５が記されている。
【００１５】
スイッチ１１は、その外殻を構成する直方体形状のケース２７を有している。このケース２７の意匠面１５側には、図２に示すように、操作ボタン１８が挿入される挿入穴２８がスイッチ１１の長さ方向に形成されており、この挿入穴２８に挿入された状態で操作ボタン１８が、スイッチ１１の長さ方向に所定量ストローク可能となるようにケース２７に保持される。
【００１６】
操作ボタン１８は、操作入力がなされる意匠面１５側の入力面部２９が若干ケース２７よりも球面状に突出しており、入力面部２９とは反対側に押圧部３０が形成されている。
【００１７】
そして、ケース２７内の押圧部３０に対向する位置には、基板（第１の基板）３１が意匠面１５に沿いかつスイッチ１１の長さ方向に直交する姿勢で配設されている。この基板３１における各操作ボタン１８の押圧部３０に対向する位置には、それぞれ接点３３が取り付けられている（断面とした関係上一方のみが図示されている）。また、基板３１における各透光部２０のスイッチ１１の長さ方向の延長位置には、それぞれ発光ダイオード（発光体）３４が意匠面１５側に取り付けられている。なお、図１に示すように、各透光部２０はスイッチ１１の長さ方向の延長位置に設けられた発光ダイオード３４からの光を透過可能となっている。ここで、発光ダイオード３４は温調シートの温度状態を示すものであり、下側の三つが低温を示す青色に、上側の三つが高温を示す赤色に発光する。
【００１８】
図２に示すように、接点３３は、基板３１に取り付けられて操作ボタン１８の押圧部３０に当接する弾性部３７と、弾性部３７の押圧部３０とは反対側に設けられた導通部３８と、基板３１に導通部３８と対向するように形成された通電切替部３９とを有している。そして、接点３３は、操作ボタン１８が押込方向にストロークすることによって押圧部３０で押圧されて弾性部３７が変形し導通部３８が通電切替部３９に接触すると通電切替部３９が通電状態となり、操作ボタン１８が逆方向にストロークすることによって押圧部３０による押圧が解除されて弾性部３７が元に戻り導通部３８が通電切替部３９から離間すると通電切替部３９が非通電状態となる。つまり、接点３３は操作部１９への操作によって通電状態が切り替えられる。
【００１９】
また、ケース２７内における基板３１の意匠面１５とは反対側に、基板３１と交差する方向、具体的には直交する方向に沿って延在する基板（第２の基板）４２が配設されている。
【００２０】
この基板４２と基板３１とはフレキシブルケーブル４３によって電気的に接続されており、この基板４２の基板３１とは反対側にカプラー４４が取り付けられている。ここで、このカプラー４４はインストルメントパネル１２側の図示略のカプラーに接合されることによりスイッチ１１側への電源供給を受ける。なお、この基板４２にはカプラー４４の他に抵抗やコンデンサ等の実装部品が取り付けられることになる。
【００２１】
以上により、本実施形態のスイッチ１１においては、操作部１９への操作によって通電状態が切り替えられる接点３３および表示部２１の透光部２０を介して外部に発光する発光ダイオード３４が取り付けられる基板３１と、電源供給のためのカプラー４４が取り付けられる基板４２とを分割している。
【００２２】
基板４２は、スイッチ１１の長さ方向に見た場合に、基板３１の内側範囲にカプラー４４等の実装部品を含む全体が配置されている。
【００２３】
このようなスイッチ１１は、例えば上側の操作ボタン１８が押圧操作されると、操作ボタン１８で押圧されて上側の接点３３が通電状態となり、これにより図示せぬ温調シートがシートの温度を所定温度上げるとともに、例えば上側の発光ダイオード３４を発光させる。逆に下側の操作ボタン１８が押圧操作されると、操作ボタン１８で押圧されて下側の接点３３が通電状態となり、これにより図示せぬ温調シートがシートの温度を所定量下げるとともに、下側の発光ダイオード３４を発光させる。
【００２４】
以上に述べた本実施形態のスイッチ１１によれば、操作部１９への操作によって通電状態が切り替えられる接点３３および表示部２１の透光部２０を介して外部に発光する発光ダイオード３４が取り付けられる基板３１と、電源供給のためのカプラー４４が取り付けられる基板４２とを分割しているため、上記のように、操作部１９および表示部２１が同じ意匠面１５に設けられる場合に、操作部１９および表示部２１に配設位置が関係する接点３３および発光ダイオード３４が設けられた基板３１をこの意匠面１５に沿って配設すれば、操作部１９および表示部２１に配設位置が関係しないカプラー４４が設けられた基板４２は実質的に自由な位置に配設できる。つまり、上記したように、基板３１と基板４２とを互いに交差する方向、具体的には直交する方向に沿う状態で内部に配設することで、意匠面１５の面積の拡大を防止しつつ基板４２を配設できる。したがって、スイッチ１１を小型化でき、意匠面１５の面積を最小限にできる。
【図面の簡単な説明】
【００２５】
【図１】本発明の一実施形態のスイッチを示す正面図である。
【図２】本発明の一実施形態のスイッチを示す図１におけるＡ−Ａ線に沿う断面図である。
【符号の説明】
【００２６】
１１  スイッチ
１５  意匠面
１９  操作部
２０  透光部
２１  表示部
３１  基板（第１の基板）
３３  接点
３４  発光ダイオード（発光体）
４２  基板（第２の基板）
４４  カプラー
【図１】
2006066189.tif 000003
【図２】
2006066189.tif 000004